(57)【要約】  DLとULとでsTTI長が異なる場合のデータ割り当て、データ送受信信、フィードバックのタイミングを適切に設定することができる基地局。この基地局１００において、送信部１０６は、TTI（Transmission Time Interval）よりもTTI長を短縮した下り回線の第１sTTI（short TTI。DL sTTI）を用いて下り信号を送信し、受信部１０７は、TTIよりもTTI長を短縮した上り回線の第２sTTI（UL sTTI）を用いて上り信号を受信する。受信部１０７は、第１sTTIの長さが第２sTTIよりも短い場合、下り信号の送信タイミングから、第１sTTIの長さを基準として設定される所定間隔後の第２sTTIで上り信号を受信する。
2019511852.tif 000002
【特許請求の範囲】
【請求項１】
TTI（Transmission Time Interval）よりもTTI長を短縮した下り回線の第１sTTI（short TTI）を用いて下り信号を送信する送信部と、
前記TTIよりもTTI長を短縮した上り回線の第２sTTIを用いて上り信号を受信する受信部と、
を具備し、
前記第１sTTIの長さが前記第２sTTIよりも短い場合、
前記受信部は、前記下り信号の送信タイミングから、前記第１sTTIの長さを基準として設定される所定間隔後の前記第２sTTIで前記上り信号を受信する、
基地局。
【請求項２】
前記受信部は、前記下り信号の送信タイミングから、所定数の前記第１sTTIの間隔後の最初の前記第２sTTIで前記上り信号を受信する、
請求項１に記載の基地局。
【請求項３】
前記受信部は、前記下り信号の送信タイミングから、前記所定数の前記第１sTTIの間隔後のタイミングと同一タイミングが前記第２sTTIの境界と一致しない場合、前記上り信号の受信タイミングを遅延させる、
請求項２に記載の基地局。
【請求項４】
前記下り信号は、下りデータ信号の割り当てを示す下り割当制御情報を含み、
前記受信部は、前記下りデータ信号を送信した前記第１sTTIのタイミングから、前記所定間隔後の前記第２sTTIで前記下りデータ信号に対するACK/NACK信号を受信する、
請求項１に記載の基地局。
【請求項５】
前記下り信号は、前記上り信号の割り当てを示す上り割当制御情報を含み、
前記送信部は、前記上り信号を受信した前記第２sTTIのタイミングから前記所定間隔後の前記第１sTTIで前記上り信号に対するACK/NACK信号を送信する、
請求項１に記載の基地局。
【請求項６】
前記上り割当制御情報が送信される前記第１sTTIと、前記ACK/NACK信号が送信される前記第１sTTIとは異なる、
請求項５に記載の基地局。
【請求項７】
前記送信部は、前記ACK/NACK信号を、当該ACK/NACK信号のHARQ process IDと同一のHARQ process IDの前記上り割当制御情報が送信される前記第１sTTIの１つ前の前記第１sTTIで送信する、
請求項６に記載の基地局。
【請求項８】
前記受信部は、同一サブフレームで送信した複数の前記下り信号の各々に対する前記ACK/NACK信号を、１つのサブフレーム内の複数の前記第２sTTIで受信する、
請求項６に記載の基地局。
【請求項９】
前記受信部は、前記下り信号の送信タイミングから、所定数の前記第１sTTIの間隔に絶対時間を加えた時間経過後の最初の前記第２sTTIで前記上り信号を受信する、
請求項１に記載の基地局。
【請求項１０】
前記受信部は、前記下り信号の送信タイミングから、所定数の前記第１sTTIの間隔及び絶対時間のうち大きい時間の経過後の最初の前記第２sTTIで前記上り信号を受信する、
請求項１に記載の基地局。
【請求項１１】
前記送信部は、基準サブフレームを構成する前記第１sTTIの長さを基準として前記所定間隔を設定し、
前記送信部は、信号の割り当てに使用できる前記第１sTTIの数が前記基準サブフレームよりも少ないサブフレームにおいて、前記上り信号を受信するタイミングから前記所定間隔前の前記第１sTTIが信号の割り当てに使用できない場合、前記信号の割り当てに使用できない前記第１sTTIより前の最も後方の前記第１sTTIで前記下り信号を送信する、
請求項１に記載の基地局。
【請求項１２】
前記下り信号は、前記上り信号の割り当てを示す上り割当制御情報を含み、
前記送信部は、基準サブフレームを構成する前記第１sTTIの長さを基準として前記所定間隔を設定し、
前記送信部は、信号の割り当てに使用できる前記第１sTTIの数が前記基準サブフレームよりも少ないサブフレームにおいて、前記上り信号を受信した前記第２sTTIのタイミングから前記所定間隔後の前記第１sTTIが信号の割り当てに使用できない場合、前記信号の割り当てに使用できない前記第１sTTIより後の最初の前記第１sTTIで前記上り信号に対するACK/NACK信号を送信する、
請求項１に記載の基地局。
【請求項１３】
前記送信部及び前記受信部は、前記第１sTTI及び前記第２sTTIの使用から、前記TTIの使用へ切り替える場合、共通のHARQ process IDを用いる、
請求項１に記載の基地局。
【請求項１４】
TTI（Transmission Time Interval）よりもTTI長を短縮した下り回線の第１sTTI（short TTI）を用いて下り信号を受信する受信部と、
前記TTIよりもTTI長を短縮した上り回線の第２sTTIを用いて上り信号を送信する送信部と、
を具備し、
前記第１sTTIの長さが前記第２sTTIよりも短い場合、
前記送信部は、前記下り信号の受信タイミングから、前記第１sTTIの長さを基準として設定される前記所定間隔後の前記第２sTTIで前記上り信号を送信する、
端末。
【請求項１５】
TTI（Transmission Time Interval）よりもTTI長を短縮した下り回線の第１sTTI（short TTI）を用いて下り信号を送信し、
前記TTIよりもTTI長を短縮した上り回線の第２sTTIを用いて上り信号を受信し、
前記第１sTTIの長さが前記第２sTTIよりも短い場合、
前記上り信号は、前記下り信号の送信タイミングから、前記第１sTTIの長さを基準として設定される前記所定間隔後の前記第２sTTIで受信される、
通信方法。
【請求項１６】
TTI（Transmission Time Interval）よりもTTI長を短縮した下り回線の第１sTTI（short TTI）を用いて下り信号を受信し、
前記TTIよりもTTI長を短縮した上り回線の第２sTTIを用いて上り信号を送信し、
前記第１sTTIの長さが前記第２sTTIよりも短い場合、
前記上り信号は、前記下り信号の受信タイミングから、前記第１sTTIの長さを基準として設定される前記所定間隔後の前記第２sTTIで送信される、
通信方法。
【発明の詳細な説明】
【技術分野】
【０００１】
本開示は、基地局、端末及び通信方法に関する。
【背景技術】
【０００２】
近年、遅延時間の短縮（delay critical）が求められるアプリケーションの実現が考えられている。遅延時間の短縮が求められるアプリケーションの例として、車の自動運転、スマートグラスでの超リアリティアプリケーション、又は、機器間のコミュニケーションなどが挙げられる。
【０００３】
3GPPでは、これらのアプリケーションを実現するために、パケットの遅延を低減するlatency reductionが検討されている（非特許文献１を参照）。Latency reductionでは、データを送受信する時間単位であるTTI(Transmission Time Interval)長を、0.5msecから1 OFDM symbolの間の長さに短縮することが考えられている。なお、従来のTTI長(TTI length)は1msecであり、サブフレームと呼ばれる単位と等しい。1subframeは2 slots（1 slotは0.5msec）で構成されている。1slotは、normal CP（Cyclic Prefix）の場合、7 OFDM（Orthogonal Frequency Division Multiplexing）symbolsで構成され、extended CPの場合は6 OFDM symbolsで構成される。
【０００４】
図１は、normal CPの場合の短縮TTIの例を示す。TTI長が0.5msec（=１slot）の場合、1msecあたり2TTIが配置される。また、1slotを 4OFDM symbolsのTTIと、3OFDM symbols のTTIとに分割する場合、1msecあたり4TTIが配置される。また、TTI長が1OFDM symbolの場合、1msecあたり14TTIが配置される。
【０００５】
TTI長を短縮することで、CQI報告の遅延を短くでき、CQI報告の頻度を多くできるので、CQI報告と実際の回線品質とのずれが少なくなるという利点がある。
【先行技術文献】
【非特許文献】
【０００６】
【非特許文献１】RP-150465, "New SI proposal: Study on Latency reduction techniques for LTE," Ericsson, Huawei, March 2015
【非特許文献２】3GPP TR 36.211 V13.0.0, “Physical channels and modulation (Release 13),” December 2015
【発明の概要】
【発明が解決しようとする課題】
【０００７】
TTI長を短縮する際に、DL（Downlink）とUL（Uplink）とでは短縮TTI(sTTI: short TTI)の長さが異なることが考えらえる。しかしながら、従来のLTE/LTE-advancedでは、DLとULとは同一TTI長であり、データ割り当て、データ送信、フィードバックのタイミングは、同一のTTI長を基準として共通に規定されている。したがって、DL及びULのsTTI長が異なる場合におけるデータ割り当て、データ送受信信、フィードバックのタイミングを新たに規定する必要がある。
【０００８】
本開示の一態様は、DLとULとでsTTI長が異なる場合のデータ割り当て、データ送受信信、フィードバックのタイミングを適切に設定することができる基地局、端末及び通信方法を提供することである。
【課題を解決するための手段】
【０００９】
本開示の一態様に係る基地局は、TTI（Transmission Time Interval）よりもTTI長を短縮した下り回線の第１sTTI（short TTI）を用いて下り信号を送信する送信部と、前記TTIよりもTTI長を短縮した上り回線の第２sTTIを用いて上り信号を受信する受信部と、を具備し、前記第１sTTIの長さが前記第２sTTIよりも短い場合、前記受信部は、前記下り信号の送信タイミングから、前記第１sTTIの長さを基準として設定される所定間隔後の前記第２sTTIで前記上り信号を受信する。
【００１０】
本開示の一態様に係る端末は、TTI（Transmission Time Interval）よりもTTI長を短縮した下り回線の第１sTTI（short TTI）を用いて下り信号を受信する受信部と、前記TTIよりもTTI長を短縮した上り回線の第２sTTIを用いて上り信号を送信する送信部と、を具備し、前記第１sTTIの長さが前記第２sTTIよりも短い場合、前記送信部は、前記下り信号の受信タイミングから、前記第１sTTIの長さを基準として設定される前記所定間隔後の前記第２sTTIで前記上り信号を送信する。
【００１１】
本開示の一態様に係る通信方法は、TTI（Transmission Time Interval）よりもTTI長を短縮した下り回線の第１sTTI（short TTI）を用いて下り信号を送信し、前記TTIよりもTTI長を短縮した上り回線の第２sTTIを用いて上り信号を受信し、前記第１sTTIの長さが前記第２sTTIよりも短い場合、前記上り信号は、前記下り信号の送信タイミングから、前記第１sTTIの長さを基準として設定される前記所定間隔後の前記第２sTTIで受信される。
【００１２】
本開示の一態様に係る通信方法は、TTI（Transmission Time Interval）よりもTTI長を短縮した下り回線の第１sTTI（short TTI）を用いて下り信号を受信し、前記TTIよりもTTI長を短縮した上り回線の第２sTTIを用いて上り信号を送信し、前記第１sTTIの長さが前記第２sTTIよりも短い場合、前記上り信号は、前記下り信号の受信タイミングから、前記第１sTTIの長さを基準として設定される前記所定間隔後の前記第２sTTIで送信される。
【００１３】
なお、これらの包括的または具体的な態様は、システム、装置、方法、集積回路、コンピュータプログラム、または、記録媒体で実現されてもよく、システム、装置、方法、集積回路、コンピュータプログラムおよび記録媒体の任意な組み合わせで実現されてもよい。
【発明の効果】
【００１４】
本開示の一態様によれば、DLとULとでsTTI長が異なる場合のデータ割り当て、データ送受信信、フィードバックのタイミングを適切に設定することができる。
【００１５】
本開示の一態様における更なる利点および効果は、明細書および図面から明らかにされる。かかる利点および／または効果は、いくつかの実施形態並びに明細書および図面に記載された特徴によってそれぞれ提供されるが、１つまたはそれ以上の同一の特徴を得るために必ずしも全てが提供される必要はない。
【図面の簡単な説明】
【００１６】
【図１】TTI長の一例を示す図
【図２】実施の形態１に係る基地局の要部構成を示すブロック図
【図３】実施の形態１に係る端末の要部構成を示すブロック図
【図４】実施の形態１に係る基地局の構成を示すブロック図
【図５】実施の形態１に係る端末の構成を示すブロック図
【図６】実施の形態１に係るULデータ割当時の送受信タイミングの一例を示す図（動作例1-1）
【図７】実施の形態１に係るULデータ割当時の送受信タイミングの一例を示す図（動作例1-2）
【図８】実施の形態１に係るULデータ割当時の送受信タイミングの他の例を示す図（動作例1-2）
【図９】実施の形態１に係るULデータ割当時の送受信タイミングの一例を示す図（動作例1-3）
【図１０】実施の形態１に係るULデータ割当時の送受信タイミングの他の例を示す図（動作例1-3）
【図１１】実施の形態１に係るDLデータ割当時の送受信タイミングの一例を示す図（動作例2-1）
【図１２】実施の形態１に係るDLデータ割当時の送受信タイミングの一例を示す図（動作例2-2）
【図１３Ａ】実施の形態１に係るDLデータ割当時の送受信タイミングの他の例を示す図（動作例2-2）
【図１３Ｂ】実施の形態１に係るDLデータ割当時の送受信タイミングの他の例を示す図（動作例2-2）
【図１４】実施の形態１に係るDLデータ割当時の送受信タイミングの他の例を示す図（動作例2-3）
【図１５】実施の形態２に係るULデータ割当時の送受信タイミングの一例を示す図
【図１６】実施の形態２に係るDLデータ割当時の送受信タイミングの他の例を示す図
【図１７】実施の形態３に係るULデータ割当時の送受信タイミングの一例を示す図
【図１８】実施の形態３に係るULデータ割当時の送受信タイミングの他の例を示す図
【図１９】実施の形態４に係るULデータ割当時の送受信タイミングの一例を示す図
【発明を実施するための形態】
【００１７】
［本開示の一態様に至る経緯］
3GPPは、DLではOFDMを用いて、ULではシングルキャリア送信を用いている。
【００１８】
ULにおいて、シングルキャリア送信を維持するには、参照信号(DMRS:demodulation reference signal)とデータ信号（PUSCH：Physical Uplink Shared Channel）とを同一シンボルに配置できず、参照信号のオーバヘッドが大きくなるという課題がある。また、ULでは、端末（UE：User Equipment）が信号を送信するので、時間単位あたりの送信電力は、基地局（eNB）が信号を送信するDLと比較して低い。したがって、ULでは、UEは、所望の受信電力を確保するために時間軸上にリソースを広げて信号を送信する必要がある。
【００１９】
一方、DLではOFDMを用いるので、参照信号とデータ信号（PDSCH：Physical Downlink Shared Channel）との周波数多重が容易であり、ULと比較してsTTI（TTI長の短縮）の導入が容易である。また、DLのトラフィック量は、ULのトラフィック量と比較して多いことが考えられ、Latency reductionがより求められている。
【００２０】
以上より、TTI長を短縮する際、DLでは、ULよりも短い長さのsTTIを設定する可能性がある。
【００２１】
そこで、本開示の一態様では、DLとULとでsTTI長が異なる場合、特に、DLのsTTI（以下、「DL sTTI」と表す）の長さがULのsTTI（以下、「UL sTTI」と表す）の長さよりも短い場合における、データ割り当て、データ送受信、フィードバックの送受信タイミングを適切に規定することを目的とする。
【００２２】
以下、本開示の実施の形態について図面を参照して詳細に説明する。
【００２３】
［通信システムの概要］
本開示の各実施の形態に係る通信システムは、基地局１００及び端末２００を備える。
【００２４】
図２は本開示の実施の形態に係る基地局１００の要部構成を示すブロック図である。図２に示す基地局１００において、送信部１０６は、TTI（Transmission Time Interval）よりもTTI長を短縮した下り回線の第１sTTI（short TTI。DL sTTI）を用いて下り信号を送信し、受信部１０７は、TTIよりもTTI長を短縮した上り回線の第２sTTI（UL sTTI）を用いて上り信号を受信する。受信部１０７は、第１sTTIの長さが第２sTTIよりも短い場合、下り信号の送信タイミングから、第１sTTIの長さを基準として設定される所定間隔後の第２sTTIで上り信号を受信する。
【００２５】
また、図３は、本開示の各実施の形態に係る端末２００の要部構成を示すブロック図である。図３に示す端末２００において、受信部２０１は、TTI（Transmission Time Interval）よりもTTI長を短縮した下り回線の第１sTTI（short TTI。DL sTTI）を用いて下り信号を受信し、送信部２１２は、TTIよりもTTI長を短縮した上り回線の第２sTTI（UL sTTI）を用いて上り信号を送信する。送信部２１２は、第１sTTIの長さが第２sTTIよりも短い場合、下り信号の受信タイミングから、第１sTTIの長さを基準として設定される所定間隔後の第２sTTIで上り信号を送信する。
【００２６】
また、以下では、sTTI（DL sTTI、UL sTTI）で割り当てられる、ULデータ信号を「sPUSCH」と表し、DLデータ信号を「sPDSCH」と表し、UL grant又はDL assignmentが配置される下り制御信号（PDCCH：Physical Downlink Control Channel）を「sPDCCH」と表す。
【００２７】
（実施の形態１）
［基地局の構成］
図４は、本実施の形態に係る基地局１００の構成を示すブロック図である。図４において、基地局１００は、sTTI決定部１０１と、sPDCCH生成部１０２と、誤り訂正符号化部１０３と、変調部１０４と、信号割当部１０５と、送信部１０６と、受信部１０７と、信号分離部１０８と、ACK/NACK受信部１０９と、復調部１１０と、誤り訂正復号部１１１と、ACK/NACK判定部１１２とを有する。
【００２８】
sTTI決定部１０１は、DL及びULのsTTI長を決定する。sTTI決定部１０１は、決定したsTTI長を示すsTTI情報を、sPDCCH生成部１０２、信号割当部１０５及び信号分離部１０８に出力する。また、sTTI決定部１０１は、sTTI情報を上位レイヤのシグナリングとして誤り訂正符号化部１０３に出力する。
【００２９】
sPDCCH生成部１０２は、sTTI決定部１０１から入力されるsTTI情報に基づいて、sTTIで送受信可能なデータサイズを決定する。ePDCCH生成部１０２は、DL又はULのリソース割当情報（例えば、DL assignment又はUL grant）を含むsPDCCHを生成する。ePDCCH生成部１０２は、生成したsPDCCHを端末２００へ送信するために信号割当部１０５に出力する。また、sPDCCH生成部１０２は、DLのリソース割当情報を信号割当部１０５に出力し、ULのリソース割当情報を信号分離部１０８に出力する。
【００３０】
また、ePDCCH生成部１０２は、ACK/NACK受信部１０９から入力されるACK/NACK信号（つまり、DLデータ信号（sPDSCH）に対するACK/NACK信号）の内容（ACK又はNACK）に基づいて、DLデータ信号の再送が必要か否かを判定し、判定結果に応じてsPDCCHを生成する。
【００３１】
なお、基地局１００におけるデータ割り当て（DL assignment、UL grant）、データ送受信（PDSCH、PUSCH）、フィードバック（ACK/NACK信号）の送受信タイミングの詳細については後述する。
【００３２】
誤り訂正符号化部１０３は、送信データ信号（DLデータ信号）、及び、sTTI決定部１０１から入力される上位レイヤのシグナリングを誤り訂正符号化し、符号化後の信号を変調部１０４へ出力する。
【００３３】
変調部１０４は、誤り訂正符号化部１０３から受け取る信号に対して変調処理を施し、変調後の信号を信号割当部１０５へ出力する。
【００３４】
信号割当部１０５は、sTTI決定部１０１から入力されるsTTI情報に基づいて、変調部１０３から受け取る信号、sPDCCH生成部１０２から受け取る制御信号（sPDCCH）、又は、ACK/NACK生成部１１２から入力されるACK/NACK信号（つまり、ULデータ信号（sPDSCH）に対するACK/NACK信号）を、所定の下りリソースに割り当てる。このようにして制御信号（sPDCCH）又はデータ信号（sPDSCH）が所定のリソースに割り当てられることにより、送信信号が形成される。形成された送信信号は、送信部１０６へ出力される。
【００３５】
送信部１０６は、信号割当部１０５から入力される送信信号に対してアップコンバート等の無線送信処理を施し、アンテナを介して端末２００へ送信する。
【００３６】
受信部１０７は、端末２００から送信された信号をアンテナを介して受信し、受信信号に対してダウンコンバート等の無線受信処理を施し、信号分離部１０８へ出力する。
【００３７】
信号分離部１０８は、sPDCCH生成部１０２から入力されるULのリソース割当情報及びsTTI決定部１０１から入力されるsTTI情報に基づいて、sPUSCH（ULデータ信号）及びACK/NACK信号の受信周波数及び時間タイミングを特定する。そして、信号分離部１０８は、受信信号からULデータ信号を分離して復調部１１０へ出力し、受信信号からACK/NACK信号を分離してACK/NACK受信部１０９へ出力する。
【００３８】
ACK/NACK受信部１０９は、信号分離部１０８から入力される、DLデータ信号に対するACK/NACK信号の内容（ACK又はNACK）をsPDCCH生成部１０２に出力する。
【００３９】
復調部１１０は、信号分離部１０８から入力される信号に対して復調処理を施し、得られた信号を誤り訂正復号部１１１へ出力する。
【００４０】
誤り訂正復号部１１１は、復調部１１０から入力される信号を復号し、端末２００からの受信データ信号（ULデータ信号）を得る。誤り訂正復号部１１１は、ULデータ信号をACK/NACK生成部１１２に出力する。
【００４１】
ACK/NACK生成部１１２は、誤り訂正符号化部１１１から入力されるULデータ信号に対して、CRC(Cyclic Redundancy Check)を用いて、誤りがあるか否かを判定し、判定結果をACK/NACK信号として信号割当部１０５に出力する。
【００４２】
［端末の構成］
図５は、本実施の形態に係る端末２００の構成を示すブロック図である。図５において、端末２００は、受信部２０１と、信号分離部２０２と、復調部２０３と、誤り訂正復号部２０４と、sTTI設定部２０５と、誤り判定部２０６と、ACK/NACK生成部２０７と、sPDCCH受信部２０８と、誤り訂正符号化部２０９と、変調部２１０と、信号割当部２１１と、送信部２１２と、を有する。
【００４３】
受信部２０１は、受信信号をアンテナを介して受信し、受信信号に対してダウンコンバート等の受信処理を施した後に信号分離部２０２へ出力する。
【００４４】
信号分離部２０２は、sTTI設定部２０５から入力されるDL sTTI長に基づいて、sPDCCHが割り当てられる可能性のあるリソースに配置された信号（sPDCCH信号）を分離して、sPDCCH受信部２０８へ出力する。また、信号分離部２０２は、sPDCCH受信部２０８から入力されるDLのリソース割当情報に基づいて、受信信号からDLデータ信号（sPDSCH）を分離し、復調部２０３へ出力する。
【００４５】
復調部２０３は、信号分離部２０２から受け取る信号を復調し、復調後の信号を誤り訂正復号部２０４へ出力する。
【００４６】
誤り訂正復号部２０４は、復調部２０３から受け取る復調信号を復号し、得られた受信データ信号を出力する。また、誤り訂正復号部２０４は、受信データ信号を誤り判定部２０６へ出力する。また、誤り訂正復号部２０４は、復調部２０３から受け取る復調信号を復号し、得られた上位レイヤのシグナリング（sTTI情報を含む）をsTTI設定部２０５へ出力する。
【００４７】
sTTI設定部２０５は、誤り訂正復号部２０４から入力されるsTTI情報に基づいて、DL及びULのsTTI長を設定し、設定したDL sTTI長を示す情報を信号分離部２０２に出力し、設定したUL sTTI長を示す情報を信号割当部２１１に出力する。
【００４８】
誤り判定部２０６は、受信データ信号のCRCで誤りを検出し、検出結果をACK/NACK生成部２０７へ出力する。
【００４９】
ACK/NACK生成部２０７は、誤り判定部２０６から入力される、受信データ信号の検出結果に基づいて、誤りが無ければACKを生成し、誤りが有ればNACKを生成し、生成したACK/NACK信号を信号割当部２１１へ出力する。
【００５０】
sPDCCH受信部２０８は、信号分離部２０２から受け取るsPDCCHから、リソース割当情報（DLリソース割当情報、ULリソース割当情報）を抽出し、DLリソース割当情報を信号分離部２０２へ出力し、ULリソース割当情報を信号割当部２１１へ出力する。
【００５１】
誤り訂正符号化部２０９は、送信データ信号（ULデータ信号）を誤り訂正符号化し、符号化後のデータ信号を変調部２１０へ出力する。
【００５２】
変調部２１０は、誤り訂正符号化部２０９から受け取るデータ信号を変調し、変調後のデータ信号を信号割当部２１１へ出力する。
【００５３】
信号割当部２１１は、sTTI設定部２０５から受け取るUL sTTI長を示す情報、及び、sPDCCH受信部２０７から受け取るULリソース割当情報に基づいて、変調部２１０から入力されたデータ信号をリソースに割り当て、送信部２１２へ出力する。また、信号割当部２１１は、ACK/NACK生成部２０７から入力されたACK/NACK信号をACK/NACK用リソースに割り当て、又は、ULデータ信号に多重して、送信部２１２へ出力する。
【００５４】
なお、端末２００におけるデータ割り当て（DL assignment、UL grant）の受信、データ送受信（PDSCH、PUSCH）、フィードバック（ACK/NACK信号）の送受信タイミングの詳細については後述する。
【００５５】
送信部２１２は、信号割当部２１１から入力される信号に対してアップコンバート等の送信処理を施し、アンテナを介して送信する。
【００５６】
また、端末２００は、信号分離部２０２において受信信号から分離されたACK/NACK信号（つまり、ULデータ信号（sPUSCH）に対するACK/NACK信号）の内容（ACK又はNACK）に基づいて、ULデータ信号の再送が必要か否かを判定し、判定結果に応じてsPUSCHを再送する（図示せず）。
【００５７】
［基地局１００及び端末２００の動作］
以上の構成を有する基地局１００及び端末２００における動作について詳細に説明する。
【００５８】
本実施の形態では、DL sTTI長とUL sTTI長とが異なり、DL sTTI長がUL sTTI長よりも短い場合、基地局１００及び端末２００は、DL sTTI長を基準として、データ割り当て（sPDCCH内のUL grant、DL assignment）、データ送受信（sPUSCH、sPDSCH）、フィードバック（ACK/NACK信号）の送受信タイミングを決定する。
【００５９】
具体的には、DLデータに関して、端末２００（送信部２１２）は、DL assignment を含むsPDCCHを受信するsTTIと、そのDL assignmetnで割り当てるsPDSCHとを同一DL sTTIとする。また、端末２００は、sPDSCHを受信したDL sTTI（つまり、DL assignmentを受信したDL sTTI）のタイミングから、DL sTTIの長さを基準として設定される所定間隔後のUL sTTIで当該sPDSCHに対するACK/NACK信号を送信する。つまり、基地局１００（受信部１０７）は、sPDSCHを送信したDL sTTI（当該sPDSCHのDL assignmentを送信したDL sTTI）のタイミングから、DL sTTIの長さを基準として設定される所定間隔後のUL sTTIで当該sPDSCHに対するACK/NACK信号を受信する。
【００６０】
また、ULデータに関して、端末２００（送信部２１２）は、UL grantを含むsPDCCHの受信タイミングから、DL sTTIの長さを基準として設定される所定間隔後のUL sTTIでsPUSCHを送信する。つまり、基地局１００（受信部１０７）は、UL grantを含むsPDCCHの送信タイミングから、DL sTTIの長さを基準として設定される所定間隔後のUL sTTIでsPUSCHを受信する。
【００６１】
また、基地局１００（送信部１０６）は、sPUSCHを受信したUL sTTIのタイミングから、DL sTTIの長さを基準として設定される所定間隔後のDL sTTIで当該sPUSCHに対するACK/NACK信号を送信する。つまり、端末２００（受信部２０１）は、sPUSCHを送信したUL sTTIのタイミングから所定間隔後のDL sTTIで当該sPUSCHに対するACK/NACK信号を受信する。
【００６２】
また、基地局１００及び端末２００は、DL sTTI長を基準として決定したULのタイミングがUL sTTIの境界と一致しない場合、UL信号（sPUSCH又はACK/NACK信号）の送受信をUL sTTIの境界と一致するタイミングまで遅延させる。
【００６３】
例えば、基地局１００及び端末２００は、データ割り当て、データ送受信、フィードバックのタイミング（１つ目の信号に対する２つ目の信号の送信タイミング）を以下のように規定する。
DLデータに関するタイミング
DL assignment in sPDCCH - sPDSCH : same sTTI
sPDSCH - ACK/NACK feedback       : 少なくとも X DL sTTIs 後
ULデータに関するタイミング
UL grant in sPDCCH - sPUSCH      : 少なくとも X DL sTTIs 後
sPUSCH - ACK/NACK feedback       : 少なくとも X DL sTTIs 後
【００６４】
なお、「少なくとも X DL sTTIs」とは、１つ目の信号（上記DL assignment、sPDSCH、UL grant又はsPUSCH）の送受信が完了してから、2つ目の信号（上記sPDSCH、ACK/NACK feedback、sPUSCH又はACK/NACK feedback）の送受信を開始するまで、少なくとも（X-1）sTTIの間隔があり、その間隔の後の最初のsTTIに2つ目の信号を割り当てることを示す。
【００６５】
以下、基地局１００及び端末２００におけるデータ割り当て、データ送受信、フィードバックの動作について詳細に説明する。
【００６６】
まず、ULデータ割当時の動作例について説明する。ULデータ割り当てでは、synchronous HARQを前提とする。なお、以下の動作例では、説明のために、HARQ process IDを図示しているが、HARQ process IDは端末２００へ通知されずに、基地局１００と端末２００でそれぞれUL sTTI番号と、HARQ process IDとが関連付けられている。
【００６７】
＜動作例1-1：ULデータ割り当て（UL 7 symbols sTTIs and DL 3/4 symbols sTTIs）＞
図６は、動作例１−１における、ULデータ信号（sPUSCH）の送信を指示するUL grantが配置されるsPDCCHとsPUSCHとの送受信タイミング、及び、sPUSCHと当該sPUSCHに対するACK/NACK信号との送受信タイミングの一例を示す。
【００６８】
動作例１−１では、図６に示すように、UL sTTI長を7symbolsとし、DL sTTI長を3/4 symbolsとし、X=4とする。3/4 symbolsのsTTIsでは、１スロット中の前半4symbolと後半3symbolとでsTTIをそれぞれ構成する（つまり、１スロットあたり2つのsTTI）（例えば、図１を参照）。つまり、図６では、DL sTTIは1サブフレームあたり4個であり、subframe #0からsubframe #4までDL sTTI#0〜#19が割り当てられている。また、図６では、UL sTTIは１サブフレームあたり2個であり、subframe #0からsubframe #4までUL sTTI#0〜#9が割り当てられている。
【００６９】
すなわち、動作例１−１では、DL sTTI数（１サブフレームあたり４個）はUL sTTI数（１サブフレームあたり２個）の2倍である。
【００７０】
UL grantとsPUSCHとについて、X=4の場合、基地局１００及び端末２００は、DL sTTI長を基準として、UL grant（sPDCCH）の送受信から、少なくとも4 DL sTTIs後にsPUSCHの送受信を開始する。すなわち、UL grantの送受信が完了してから、sPUSCHの送受信を開始するまで、少なくとも3 DL sTTI（＝X-1）の間隔がある。つまり、基地局１００及び端末２００は、UL grantの送受信タイミングから、3 DL sTTIの間隔後の最初のUL sTTIでsPUSCHを送受信する。
【００７１】
例えば、基地局１００がDL sTTI#0でHARQ process ID #0のUL grantを送信した場合、UL grantの送受信が完了したタイミング（DL sTTI#0）から3DL sTTIの間隔後のタイミングは、DL sTTI#4である。したがって、端末２００は、DL sTTI#4と同一タイミングであるUL sTTI#2でHARQ process ID #0のsPUSCHを送信する。
【００７２】
同様に、sPUSCHとACK/NACK信号とについて、X=4の場合、基地局１００及び端末２００は、DL sTTI長を基準として、sPUSCHの送受信から、少なくとも4 DL sTTIs後に当該sPUSCHに対するACK/NACK信号の送受信を開始する。すなわち、sPUSCHの送受信が完了してから、ACK/NACK信号の送受信を開始するまで、少なくとも3 DL sTTIの間隔がある。つまり、基地局１００及び端末２００は、sPUSCHの送受信タイミングから、3 DL sTTIの間隔後の最初のDL sTTIでACK/NACK信号を送受信する。
【００７３】
例えば、端末２００がUL sTTI#2でHARQ process ID#0のsPUSCHを送信した場合、sPUSCHの送受信が完了したタイミング（DL sTTI#5）から3DL sTTIの間隔後のタイミングは、DL sTTI#9である。したがって、基地局１００は、DL sTTI#9でHARQ process ID#0のsPUSCHに対するACK/NACK信号を送信する。
【００７４】
このように、基地局１００及び端末２００は、X=4の場合、3 DL sTTI以上の間隔を空けて、UL grantとsPUSCH、及び、sPUSCHとACK/NACK信号をそれぞれ割り当てる。
【００７５】
なお、図６では、3 DL sTTI間隔を構成するDL sTTIの組合せによって、3 DL sTTI間隔に対応するシンボル数が異なる。具体的には、DL sTTI#1,2,3の場合、3 DL sTTI間隔は10OFDM symbolであるが、DL sTTI#6,7,8の場合、3 DL sTTI間隔は11OFDM symbolとなる。これは、DL sTTIが4symbolで構成される場合と、3 symbolで構成される場合とがあるからである。
【００７６】
また、動作例１−１では、UL grantは、UL sTTIの境界のタイミングから（X-1） DL sTTI(図６では3 DL sTTI)以上前のタイミングで最も後方のDL sTTIのみに配置されると制限する。このようにすると、図６に示すように、複数のDL sTTIのうち、半数のDL sTTIにはUL grantが配置され、残りの半数のDL sTTIにはUL grantが配置されない。これにより、端末２００が全てのDL sTTIでUL grantをモニタする場合と比較して、誤ってUL grantを検出する確率（false alert）を低減することができる。
【００７７】
また、動作例１−１では、ACK/NACK信号が送受信されるDL sTTIと、UL grantが送受信されるDL sTTIとは異なる。このように、UL grantに使用するリソースと、ACK/NACK信号に使用するリソースとが異なるので、制御信号が配置されるリソースの混雑度が緩和するという利点がある。これにより、DLにおいて制御信号のリソースが不足していることに起因して、ULのデータ割り当てが制限されてしまうことを回避できる。
【００７８】
次に、図６において端末２００がDL sTTI#9でHARQ process ID#0のACK/NACK信号を受信した場合の動作について３通りの方法（オプション１〜３）がある。
【００７９】
オプション１：
端末２００は、DL sTTI#9でACK/NACK信号を受信後、ACK/NACK信号がACK又はNACKであるかにかかわらず、同一HARQ process ID#0に対応するUL grantが送信されるDL sTTI#10でUL grantの検出を試みる。DL sTTI#10でUL grantを検出した場合、端末２００は、ACK/NACK信号を破棄し、UL grantの指示に従ってsPUSCHを送信する。一方、DL sTTI#10でUL grantを検出しなかった場合、端末２００は、DL sTTI#9で受信したACK/NACK信号がACKである場合にはHARQ process ID#0のULデータ信号（sPUSCH）を送信せず、DL sTTI#9で受信したACK/NACK信号がNACKである場合にはHARQ process ID #0の再送信号をUL sTTI#7で送信する。
【００８０】
オプション２:
端末２００は、DL sTTI#9で受信したACK/NACK信号がACKである場合、同一HARQ process ID#0に対応するUL grantが送信されるDL sTTI#10でUL grantの検出を試みる。UL grantを検出した場合、端末２００は、UL grantの指示に従ってsPUSCHを送信する。一方、UL grantを検出しなかった場合、端末２００は、HARQ process ID#0のULデータ信号（sPUSCH）を送信しない。また、端末２００は、DL sTTI#9で受信したACK/NACK信号がNACKである場合、同一HARQ process ID#0に対応するUL grantが送信されるDL sTTI#10でUL grantの検出を行わずに、HARQ process ID #0の再送信号をUL sTTI#7で送信する。
【００８１】
オプション３:
端末２００は、DL sTTI#9でNACKの検出を試みる。DL sTTI#9でNACKを検出しなかった場合、端末２００は、同一HARQ process ID#0に対応するUL grantが送信されるDL sTTI#10でUL grantの検出を試みる。DL sTTI#10でUL grantを検出した場合、端末２００は、UL grantの指示に従ってsPUSCHを送信する。一方、DL sTTI#10でUL grantを検出しなかった場合、端末２００は、HARQ process ID#0のULデータ信号（sPUSCH）を送信しない。また、DL sTTI#9でNACKを検出した場合、端末２００は、同一HARQ process ID#0に対応するUL grantが送信されるDL sTTI#10でUL grantの検出を行わずに、HARQ process ID #0の再送信号をUL sTTI#7で送信する。
【００８２】
このように、オプション１及びオプション２では、ACK/NACK信号は従来のPHICH（Physical HARQ Indicator Channel）のように、ACK又はNACKが必ず送信され、端末２００は、ACK又はNACKの何れであるかを判定することを前提としている。オプション３では、ACK/NACK信号は、NACK（誤り有り）の場合のみ送信され、端末２００は、ACK/NACK信号が存在するか否かを検出することを前提としている。
【００８３】
オプション１では、端末２００は、UL grantの検出を必ず試みるので、ACKをNACKと誤って判定した場合でも、UL grantが検出されれば、誤ったタイミングで再送信号を送信することを防ぐことができる。また、オプション２及びオプション３では、端末２００は、NACKを検出した場合にUL grantの検出を行わないので、端末２００の消費電力を抑えることができる。
【００８４】
なお、UL HARQ process数の最小値は、同一UL HARQ process IDのsPUSCHの送信間隔から決定される。図６では、UL HARQ process ID#0のsPUSCHがUL sTTI#2で送信され、それに対するACK/NACKがDL sTTI#9で送信される。したがって、DL sTTI#9で再送が必要であるか否かが確定するので、DL sTTI＃9以降で、基地局１００は、同一UL HARQ ID#0のUL grant を送信できる。基地局１００がDL sTTI#9（図１０ではDL sTTI#10。詳細は後述する）でUL grantを送信すると、端末２００でsPUSCHが送信されるのは3 DL sTTI間隔後の最初のUL sTTIであるUL sTTI #7となる。したがって、同一UL HARQ process ID#0のsPUSCHを送信できるのは、5 UL sTTI間隔となる。同一UL HARQ processの送信間隔が5 UL sTTIである場合、5 UL sTTIの間に５個のUL HARQ processを送信できるので、UL HARQ process 数の最小値は5と決定できる。
【００８５】
なお、UL HARQ process 数は5より大きい値に設定することも可能である。その場合、再送間隔が長くなるので、遅延時間が増大する。また、UL HARQ process数が大きくなると、その分、必要となるバッファも大きくなるので、UL HARQ prosess数は、とり得る最小値に設定することが望ましい。
【００８６】
なお、図６では、基地局１００は、DL sTTI＃9でUL grantを送信せずに、UL sTTI#7の3 DL sTTI間隔前のDL sTTI＃10でUL grantを送信する。これは、DL sTTI#10でUL grantを送信しても、全体の遅延量に影響がないからである。なお、UL HARQ process数は、事前にDL sTTI長およびUL sTTI長から定めてもよく、上記のように、とり得る最少の値を特定し、基地局１００と端末２００とでそれぞれ設定してもよい。
【００８７】
また、ここでは、HARQ process ID#0に着目したが、他のHARQ process ID#2〜#4についても同様である。
【００８８】
＜動作例1-2：ULデータ割り当て（UL 3/4 symbols sTTIs and DL 2 symbols sTTIs）＞
図７は、動作例１−２における、ULデータ信号（sPUSCH）の送信を指示するUL grantが配置されるsPDCCHとsPUSCHとの送受信タイミング、及び、sPUSCHと当該sPUSCHに対するACK/NACK信号との送受信タイミングの一例を示す。
【００８９】
動作例１−２では、図７に示すように、UL sTTI長を3/4 symbolsとし、DL sTTI長を2 symbolsとし、X=4とする。つまり、図７では、DL sTTIは1サブフレームあたり７個であり、subframe #0からsubframe #3までDL sTTI#0〜#27が割り当てられている。また、図７では、UL sTTIは１サブフレームあたり4個であり、subframe #0からsubframe #3までUL sTTI#0〜#15が割り当てられている。
【００９０】
すなわち、動作例１−２では、DL sTTIs数（１サブフレームあたり７個）はUL sTTI数（１サブフレームあたり４個）の7/4倍である。
【００９１】
X=4の場合、動作例１−１と同様、基地局１００及び端末２００は、3 DL sTTI以上の間隔を空けて、UL grantとsPUSCH、及び、sPUSCHとACK/NACK信号をそれぞれ割り当てる。
【００９２】
例えば、UL grantとsPUSCHとについて、基地局１００がDL sTTI#1でHARQ process ID #0のUL grantを送信した場合、UL grantの送受信が完了したタイミング（DL sTTI#1）から3DL sTTIの間隔後のタイミングは、DL sTTI#5である。端末２００は、DL sTTI#5のタイミングがUL sTTIの境界と一致しないので、DL sTTI#5のタイミングより後方の最初のUL TTIであるUL sTTI#3までsPUSCHの送信を遅延させて、UL sTTI#3でHARQ process ID #0のsPUSCHを送信する。
【００９３】
同様に、sPUSCHとACK/NACK信号とについて、端末２００がUL sTTI#3でHARQ process ID#0のsPUSCHを送信した場合、sPUSCHの送受信が完了したタイミング（DL sTTI#6）から3DL sTTIの間隔後のタイミングは、DL sTTI#10である。したがって、基地局１００は、DL sTTI#10でHARQ process ID#0のsPUSCHに対するACK/NACK信号を送信する。
【００９４】
また、動作例１−２では、動作例１−１と同様、UL grantは、UL sTTIの境界のタイミングから（X-1） DL sTTI(図７では3 DL sTTI)以上前のタイミングで最も後方のDL sTTIのみに配置されると制限する。このようにすると、図７に示すように、１サブフレーム内のDL sTTIのうち、４つのDL sTTIにはUL grantが配置され、残りの３つのDL sTTIにはUL grantが配置されない。これにより、端末２００が全てのDL sTTIでUL grantをモニタする場合と比較して、誤ってUL grantを検出する確率（false alert）を低減することができる。
【００９５】
また、動作例１−２では、動作例１−１と同様、ACK/NACK信号が送受信されるDL sTTIと、UL grantが送受信されるDL sTTIとは異なる。このように、UL grantに使用するリソースと、ACK/NACK信号に使用するリソースとが異なるので、制御信号が配置されるリソースの混雑度が緩和するという利点がある。これにより、DLにおいて制御信号のリソースが不足していることに起因して、ULのデータ割り当てが制限されてしまうことを回避できる。
【００９６】
ただし、動作例１−２では、動作例１−１と異なり、DL sTTIs数はUL sTTI数の7/4倍であるので、ACK/NACK信号とUL grantとを全て異なるDL sTTIに配置することはできない。
【００９７】
図７のsTTI配置では、DL sTTI#11及びDL sTTI#18には、UL grantもACK/NACK信号も配置されていないのに対して、DL sTTI #10及びDL sTTI#17には、UL grant及びACK/NACK信号の双方が配置されている。
【００９８】
そこで、基地局１００は、制御信号のリソースを分散させるために、ACK/NACK信号を、当該ACK/NACK信号のHARQ process IDと同一HARQ process IDのUL grantが送信されるDL sTTIの１つ前のDL sTTIで送信されるように調整してもよい。図８は、ACK/NACK信号が配置されるDL sTTIを調整する動作例を示す。
【００９９】
図８では、図７においてDL sTTI#10に配置されたHARQ process ID#0のACK/NACK信号が、HARQ process ID#0のUL grantが配置されるDL sTTI#12の１つ前のDL sTTI#11に配置される。同様に、図８では、図７においてDL sTTI#17に配置されていたHARQ process ID#4のACK/NACK信号が、HARQ process ID#4のUL grantが配置されるDL sTTI#19の１つ前のDL sTTI#18に配置される。これにより、制御信号（UL grant及びACK/NACK信号）が分散して配置される。
【０１００】
なお、遅延の観点から、ACK/NACK信号の配置は、同一HARQ process IDのsPUSCHから3 DL sTTI間隔あり、同一HARQ process IDの再送する可能性のある次のsPUSCHとも3 DL sTTI間隔あればよい。したがって、DL sTTI#10に配置されていたHARQ process ID#0のACK/NACK信号がDL sTTI#11に配置され、DL sTTI#17に配置されていたHARQ process ID#4のACK/NACK信号がDL sTTI#18に配置されても、遅延の観点から何ら問題はない。
【０１０１】
図８のようにACK/NACK信号を後方に遅延させることで、基地局１００は、Adaptive再送とするか、Non-adaptive再送とするかを、後方のスケジューリングの状態から判断することができ、基地局１００のスケジューラのフレキシビリティを向上させることができる。
【０１０２】
＜動作例1-3：ULデータ割り当て（UL 7 symbols sTTIs and DL 2 symbols sTTIs）＞
図９は、動作例１−３における、ULデータ信号（sPUSCH）の送信を指示するUL grantが配置されるsPDCCHとsPUSCHとの送受信タイミング、及び、sPUSCHと当該sPUSCHに対するACK/NACK信号との送受信タイミングの一例を示す。
【０１０３】
動作例１−３では、図９に示すように、UL sTTI長を7 symbolsとし、DL sTTI長を2 symbolsとし、X=4とする。つまり、図９では、DL sTTIは1サブフレームあたり７個であり、subframe #0からsubframe #3までDL sTTI#0〜#27が割り当てられている。また、図９では、UL sTTIは１サブフレームあたり2個であり、subframe #0からsubframe #3までUL sTTI#0〜#7が割り当てられている。
【０１０４】
すなわち、動作例１−３では、DL sTTIs数（１サブフレームあたり７個）はUL sTTI数（１サブフレームあたり２個）の7/2倍である。
【０１０５】
X=4の場合、動作例１−１と同様、基地局１００及び端末２００は、3 DL sTTI以上の間隔を空けて、UL grantとsPUSCH、及び、sPUSCHとACK/NACK信号をそれぞれ割り当てる。
【０１０６】
例えば、UL grantとsPUSCHとについて、基地局１００がDL sTTI#3でHARQ process ID #0のUL grantを送信した場合、UL grantの送受信が完了したタイミング（DL sTTI#3）から3DL sTTIの間隔後のタイミングは、DL sTTI#7である。端末２００は、DL sTTI#7と同一タイミングであるUL sTTI#2でHARQ process ID #0のsPUSCHを送信する。
【０１０７】
同様に、sPUSCHとACK/NACK信号とについて、端末２００がUL sTTI#2でHARQ process ID#0のsPUSCHを送信した場合、sPUSCHの送受信が完了したタイミング（DL sTTI#10）から3DL sTTIの間隔後のタイミングは、DL sTTI#14である。したがって、基地局１００は、DL sTTI#14でHARQ process ID#0のsPUSCHに対するACK/NACK信号を送信する。
【０１０８】
また、動作例１−３では、動作例１−１と同様、UL grantは、UL sTTIの境界のタイミングから（X-1） DL sTTI(図９では3 DL sTTI)以上前のタイミングで最も後方のDL sTTIのみに配置されると制限する。このようにすると、図９に示すように、１サブフレーム内のDL sTTIのうち、２つのDL sTTIにはUL grantが配置され、残りの５つのDL sTTIにはUL grantが配置されない。これにより、端末２００が全てのDL sTTIでUL grantをモニタする場合と比較して、誤ってUL grantを検出する確率（false alert）を低減することができる。
【０１０９】
また、動作例１−３では、動作例１−１と同様、ACK/NACK信号が送受信されるDL sTTIと、UL grantが送受信されるDL sTTIとは異なる。このように、UL grantに使用するリソースと、ACK/NACK信号に使用するリソースとが異なるので、制御信号が配置されるリソースの混雑度が緩和するという利点がある。これにより、DLにおいて制御信号のリソースが不足していることに起因して、ULのデータ割り当てが制限されてしまうことを回避できる。
【０１１０】
ただし、動作例１−３では、DL sTTIs数はUL sTTI数の7/2倍であるので、動作例１−２と同様、ACK/NACK信号とUL grantとを全て異なるDL sTTIに配置することはできない。
【０１１１】
そこで、基地局１００は、制御信号のリソースを分散させるために、ACK/NACK信号を、当該ACK/NACK信号のHARQ process IDと同一HARQ process IDのUL grantが送信されるDL sTTIの１つ前のDL sTTIで送信されるように調整してもよい。図１０は、ACK/NACK信号が配置されるDL sTTIを調整する動作例を示す。
【０１１２】
図１０では、図９においてDL sTTI#14に配置されたHARQ process ID#0のACK/NACK信号が、HARQ process ID#0のUL grantが配置されるDL sTTI#17の１つ前のDL sTTI#16（DL sTTI#14の２つ後方のDL sTTI）に配置される。同様に、図１０では、図９においてDL sTTI#17に配置されていたHARQ process ID#1のACK/NACK信号が、HARQ process ID#1のUL grantが配置されるDL sTTI#20の１つ前のDL sTTI#19（DL sTTI#17の２つ後方のDL sTTI）に配置される。これにより、制御信号（UL grant及びACK/NACK信号）が分散して配置される。
【０１１３】
動作例１−２と同様、遅延の観点から、ACK/NACK信号の配置は、同一HARQ process IDのsPUSCHから3 DL sTTI間隔あり、同一HARQ process IDの再送する可能性のある次のsPUSCHとも3 DL sTTI間隔あればよい。したがって、DL sTTI#14に配置されていたHARQ process ID#0のACK/NACK信号がDL sTTI#16に配置され、DL sTTI#17に配置されていたHARQ process ID#1のACK/NACK信号がDL sTTI#19に配置されても、遅延の観点から何ら問題はない。
【０１１４】
また、図１０のようにACK/NACK信号を後方に遅延させることで、基地局１００は、Adaptive再送とするか、Non-adaptive再送とするかを、後方のスケジューリングの状態から判断することができ、基地局１００のスケジューラのフレキシビリティを向上させることができる。
【０１１５】
以上、ULデータ割り当て時の動作例１−１〜動作例１−３について説明した。
【０１１６】
次に、DLデータ割当時の動作例について説明する。DLデータ割り当てでは、Asynchronous HARQを前提とする。また、HARQ process IDは、DL assignmentによって端末２００へ通知される。
【０１１７】
なお、以下の動作例では、連続するDL sTTIに連続するHARQ process IDが割り当てら得る場合について説明するが、これに限定されるものではない。
【０１１８】
＜動作例2-1：DLデータ割り当て（UL 7 symbols sTTIs and DL 3/4 symbols sTTIs）＞
図１１は、動作例２−１における、DLデータ信号（sPDSCH）の送信を指示するDL assignmentが配置されるsPDCCHとsPDSCHとの送受信タイミング、及び、sPDSCHと当該sPDSCHに対するACK/NACK信号との送受信タイミングの一例を示す。
【０１１９】
動作例２−１では、図１１に示すように、UL sTTI長を7symbolsとし、DL sTTI長を3/4 symbolsとし、X=4とする。つまり、図１１では、DL sTTIは1サブフレームあたり4個であり、subframe #0からsubframe #2までDL sTTI#0〜#11が割り当てられている。また、図１１では、UL sTTIは１サブフレームあたり2個であり、subframe #0からsubframe #2までUL sTTI#0〜#5が割り当てられている。
【０１２０】
すなわち、動作例２−１では、動作例１−１と同様、DL sTTI数（１サブフレームあたり４個）はUL sTTI数（１サブフレームあたり２個）の2倍である。
【０１２１】
DL assignmentとsPDSCHとについて、基地局１００は、DL assignmentの送受信を行うDL sTTIと同一DL sTTIで当該DL assignmentによって指示されるsPDSCHを送信する。例えば、基地局１００は、DL sTTI#0でHARQ process ID #0のDL assignmentを送信する場合、同一のDL sTTI#0でsPDSCHを送信する。
【０１２２】
また、sPDSCHとACK/NACK信号とについて、X=4の場合、基地局１００及び端末２００は、DL sTTI長を基準として、sPDSCHの送受信から、少なくとも4 DL sTTIs後に当該sPDSCHに対するACK/NACK信号の送受信を開始する。すなわち、sPDSCHの送受信が完了してから、ACK/NACK信号の送受信を開始するまで、少なくとも3 DL sTTI（＝X-1）の間隔がある。つまり、基地局１００及び端末２００は、sPDSCHの送受信タイミングから、3 DL sTTIの間隔後の最初のUL sTTIでACK/NACK信号を送受信する。
【０１２３】
例えば、基地局１００がDL sTTI#0でHARQ process ID#0のsPDSCHを送信した場合、sPDSCHの送受信が完了したタイミング（DL sTTI#0）から3DL sTTIの間隔後のタイミングは、DL sTTI#4である。したがって、端末２００は、DL sTTI#4と同一タイミングであるUL sTTI#2でHARQ process ID#0のsPDSCHに対するACK/NACK信号を送信する。
【０１２４】
なお、ここでは、HARQ process ID#0に着目したが、他のHARQ process ID#2〜#4についても同様である。
【０１２５】
図１１では、DL sTTI数はUL sTTI数の2倍であるので、端末２００は、UL sTTIあたり、2つのDL sTTIでそれぞれ受信したsPDSCHに対する２つのACK/NACK信号を送信する。その際、端末２００は、複数のACK/NACKを、例えば、multiplexing又はbundlingしてULリソースで送信する。
【０１２６】
LTE/LTE-Advancedでは、UEがACK/NACK信号を送信するULリソースは、N1_PUCCHという上位レイヤのパラメータによってスタート位置が指示され、スタート位置からのオフセット量が(E)CCE番号から求められる。
【０１２７】
これに対して、動作例２−１では、端末２００は、sPDSUCとACK/NACK信号とについて、対応するACK/NACK信号が同一UL sTTIで送信されるsPDSCHの受信に使用される複数のDL sTTIのうち、DL sTTI番号が大きいDL sTTI（つまり、より後方のDL sTTI）で受信したDL assignmentから、ACK/NACK信号の送信位置を特定してもよい。これは、後半のDL sTTIの方が、スケジューラが後からACK/NACK用リソースを鑑みてリソースの割り当てを変更することができ、スケジューリングの柔軟度が上がるからである。例えば、図１１において、端末２００は、UL sTTI#3で送信されるACK/NACK信号にそれぞれ対応するsPDSCHの受信に使用されたDL sTTI#1、DL sTTI#2のうち、DL sTTI番号が大きいDL sTTI#2のsPDCCHで受信したDL assignmentから、ACK/NACK信号の送信位置を特定する。
【０１２８】
また、端末２００は、sPDSCHとACK/NACK信号とについて、対応するACK/NACK信号が同一UL sTTIで送信されるsPDSCHの受信に使用される複数のDL sTTIのうち、実際に１つのDL sTTIでsPDSCHを受信した場合、当該DL sTTIで受信したDL assignmentから、ACK/NACK信号の送信位置を特定する。
【０１２９】
なお、ACK/NACK信号の送信位置は、上位レイヤで通知されるN1_PUCCHから、DL sTTIに基づくシフト量と、DL assignmentのCCE番号から基づくシフト量とから決定する。DL sTTIに基づくシフト量は予め定められているとする。また、DL sTTI毎に、上位レイヤでN1_PUCCHが通知されることも考えられる。
【０１３０】
＜動作例2-2：DLデータ割り当て（UL 3/4 symbols sTTIs and DL 2 symbols sTTIs）＞
図１２は、動作例２−２における、DLデータ信号（sPDSCH）の送信を指示するDL assignmentが配置されるsPDCCHとsPDSCHとの送受信タイミング、及び、sPDSCHと当該sPDSCHに対するACK/NACK信号との送受信タイミングの一例を示す。
【０１３１】
動作例２−２では、図１２に示すように、UL sTTI長を3/4symbolsとし、DL sTTI長を2 symbolsとし、X=4とする。つまり、図１２では、DL sTTIは1サブフレームあたり7個であり、subframe #0からsubframe #1までDL sTTI#0〜#13が割り当てられている。また、図１２では、UL sTTIは１サブフレームあたり4個であり、subframe #0からsubframe #1までUL sTTI#0〜#7が割り当てられている。
【０１３２】
すなわち、動作例２−２では、動作例１−２と同様、DL sTTI数（１サブフレームあたり７個）はUL sTTI数（１サブフレームあたり４個）の7/4倍である。
【０１３３】
DL assignmentとsPDSCHとについて、基地局１００は、DL assignmentの送受信を行うDL sTTIと同一DL sTTIで当該DL assignmentによって指示されるsPDSCHを送信する。例えば、基地局１００は、DL sTTI#0でHARQ process ID #0のDL assignmentを送信する場合、同一のDL sTTI#0でsPDSCHを送信する。
【０１３４】
また、sPDSCHとACK/NACK信号とについて、X=4の場合、基地局１００及び端末２００は、DL sTTI長を基準として、sPDSCHの送受信から、少なくとも4 DL sTTIs 後に当該sPDSCHに対するACK/NACK信号の送受信を開始する。すなわち、sPDSCHの送受信が完了してから、ACK/NACK信号の送受信を開始するまで、少なくとも3 DL sTTI（＝X-1）の間隔がある。つまり、基地局１００及び端末２００は、sPDSCHの送受信タイミングから、3 DL sTTIの間隔後の最初のUL sTTIでACK/NACK信号を送受信する。
【０１３５】
例えば、基地局１００がDL sTTI#0でHARQ process ID#0のsPDSCHを送信した場合、sPDSCHの送受信が完了したタイミング（DL sTTI#0）から3DL sTTIの間隔後のタイミングは、DL sTTI#4である。端末２００は、DL sTTI#4のタイミングがUL sTTIの境界と一致しないので、DL sTTI#4のタイミングより後方の最初のUL sTTIであるUL sTTI#3までACK/NACK信号の送信を遅延させて、UL sTTI#3でHARQ process ID#0のsPDSCHに対するACK/NACK信号を送信する。
【０１３６】
また、図１２では、DL sTTI数はUL sTTI数の7/4倍であるので、端末２００が、UL sTTIあたり２つのDL sTTIのACK/NACK信号を送信する場合と、UL sTTIあたり１つのDL sTTIのACK/NACK信号を送信する場合とがある。図１２では、UL sTTI #3, #4,#5ではそれぞれ２つのDL sTTIのACK/NACK信号が送信され、UL sTTI #6では１つのDL sTTIのACK/NACK信号が送信される。このように、UL sTTI毎に、送信されるACK/NACK信号数の最大値が異なるので、端末２００は、UL sTTI毎にACK/NACK信号の送信に使用するフォーマットをそれぞれ変えることができる。
【０１３７】
また、図１２では、同一のsubframe#0に割り当てられたDLデータ信号（sPDSCH）に対する一部のACK/NACK信号が、sPDSCHと同一のsubframe#0で送信され、残りのACK/NACK信号がsubframe#1で送信されている。つまり、同一のsubframe#0に割り当てられたsPDSCHに対するACK/NACK信号が、異なるsubframe#0、#1で送信されている。このことにより、DLデータ信号に対するフィードバック遅延を短縮し、Latency reduction がより効率的になっている。
【０１３８】
なお、例えば、干渉制御、CoMP、D2Dなどの用途をsubframe 単位で決定して使用する場合、subframe単位での使用方法が定まっていることが望ましい。そこで、図１３Ａ又は図１３Ｂに示すように、同一のsubframeに割り当てられたDLデータ信号（sPDSCH）に対する全てのACK/NACK信号は、同一subframeで送信されてもよい。つまり、基地局１００及び端末２００は、同一サブフレームで送受信された複数のsPDSCHの各々に対するACK/NACK信号を、１つのサブフレーム内の複数のUL sTTIで送受信する。
【０１３９】
図１３Ａ及び図１３Ｂでは、DL subframe #0の最終のDL sTTI#6で送信されるsPDSCHに対するACK/NACK信号が送信されるsubframeがsubfraem#1であるので、DL subframe #0の他のDL sTTIで送信されるsPDSCHに対するACK/NACK信号も含めて全てsubframe #1で送信されるようにする。
【０１４０】
第１の実現方法として、図１２に示すACK/NACK信号のタイミングを1 UL sTTI後方にシフトする。また、第２の実現方法として、X=4をX=6に変更する。Xの値は、同一のsubframeに割り当てられたDLデータ信号（sPDSCH）に対するACK/NACK信号を同一subframeで送信できるように設定される。このようにすると、UL subframeの干渉制御、CoMP、D2Dなどをサブフレーム単位で割り当てやすくなるという利点がある。
【０１４１】
なお、第１の実現方法と第２の実現方法とでは、UL sTTIにおいて送信されるACK/NACK信号数に違いが生じるが、ACK/NACK信号数の最大値及び最小値は同じである。
【０１４２】
＜動作例2-3：DLデータ割り当て（UL 7 symbols sTTIs and DL 2 symbols sTTIs）＞
図１４は、動作例２−３における、DLデータ信号（sPDSCH）の送信を指示するDL assignmentが配置されるsPDCCHとsPDSCHとの送受信タイミング、及び、sPDSCHと当該sPDSCHに対するACK/NACK信号との送受信タイミングの一例を示す。
【０１４３】
動作例２−３では、図１４に示すように、UL sTTI長を7symbolsとし、DL sTTI長を2 symbolsとし、X=4とする。つまり、図１４では、DL sTTIは1サブフレームあたり7個であり、subframe #0からsubframe #1までDL sTTI#0〜#13が割り当てられている。また、図１４では、UL sTTIは１サブフレームあたり2個であり、subframe #0からsubframe #1までUL sTTI#0〜#3が割り当てられている。
【０１４４】
すなわち、動作例２−３では、動作例１−３と同様、DL sTTI数（１サブフレームあたり７個）はUL sTTI数（１サブフレームあたり２個）の7/2倍である。
【０１４５】
DL assignmentとsPDSCHとについて、基地局１００は、DL assignmentの送受信を行うDL sTTIと同一DL sTTIに当該DL assignmentによって指示されるsPDSCHを割り当てる。例えば、基地局１００は、DL sTTI#0でHARQ process ID #0のDL assignmentを送信する場合、同一のDL sTTI#0でsPDSCHを送信する。
【０１４６】
また、sPDSCHとACK/NACK信号とについて、X=4の場合、基地局１００及び端末２００は、DL sTTI長を基準として、sPDSCHの送受信から、少なくとも4 DL sTTIs 後に当該sPDSCHに対するACK/NACK信号の送受信を開始する。すなわち、sPDSCHの送受信が完了してから、ACK/NACK信号の送受信を開始するまで、少なくとも3 DL sTTI（＝X-1）の間隔がある。つまり、基地局１００及び端末２００は、sPDSCHの送受信タイミングから、3 DL sTTIの間隔後の最初のUL sTTIでACK/NACK信号を送受信する。
【０１４７】
例えば、基地局１００がDL sTTI#0でHARQ process ID#0のsPDSCHを送信した場合、sPDSCHの送受信が完了したタイミング（DL sTTI#0）から3DL sTTIの間隔後のタイミングは、DL sTTI#4である。端末２００は、DL sTTI#4のタイミングがUL sTTIの境界と一致しないので、DL sTTI#4のタイミングより後方の最初のUL sTTIであるUL sTTI#2までACK/NACK信号の送信を遅延させて、UL sTTI#2でHARQ process ID#0のsPDSCHに対するACK/NACK信号を送信する。
【０１４８】
また、図１４では、DL sTTI数はUL sTTI数の7/2倍であるので、端末２００が、UL sTTIあたり４つのDL sTTIのACK/NACK信号を送信する場合と、UL sTTIあたり３つのDL sTTIのACK/NACK信号を送信する場合とがある。図１４では、UL sTTI #2では４つのDL sTTIのACK/NACK信号が送信され、UL sTTI #3では３つのDL sTTIのACK/NACK信号が送信される。このように、UL sTTI毎に、送信されるACK/NACK信号数の最大値が異なるので、端末２００は、UL sTTI毎にACK/NACK信号の送信に使用するフォーマットをそれぞれ変えることができる。
【０１４９】
以上、DLデータ割り当て時の動作例２−１〜動作例２−３について説明した。
【０１５０】
このようにして、本実施の形態では、基地局１００及び端末２００は、TTIよりもTTI長を短縮したDL sTTIを用いて下り信号（sPDCCH、sPDSCH、ACK/NACK信号）を送受信し、TTIよりもTTI長を短縮したUL sTTIを用いて上り信号（sPUSCH、ACK/NACK信号）を送受信する。その際、DL sTTI長がUL sTTI長よりも短い場合、基地局１００及び端末２００は、下り信号の送信タイミングから、DL sTTI長を基準として設定される所定間隔後のUL sTTIで上り信号を送受信する。また、基地局１００及び端末２００は、決定した送受信タイミングがUL sTTIの境界と一致しない場合には、UL sTTIの境界と一致するタイミングまで送受信タイミングを遅延させる。
【０１５１】
これにより、DL sTTI長とUL sTTI長とが異なる場合でも、基地局１００及び端末２００は、DL sTTI及びUL sTTIのそれぞれの境界から信号の送受信を開始することができる。よって、本実施の形態によれば、DLとULとでsTTI長が異なる場合のデータ割り当て、データ送受信信、フィードバックのタイミングを適切に設定することができる。
【０１５２】
なお、本実施の形態では、ACK/NACK信号をACK/NACK用リソースに割り当てる例を示しているが、ACK/NACK用リソースは、PUCCH（Physical Uplink Control Channel）リソースでもよい。また、ULデータ信号が割り当てられている場合、ULデータ信号にACK/NACK信号を多重して送信する方法もある。この場合、端末２００は、複数のUL sTTIのうち、一つでもULデータ信号の割り当てがあれば、そのUL sTTIで、複数のDL sTTIで送信されたsPDSCHに対するACK/NACK信号を送信してもよい。このようにすると、subframe内で、PUCCHフォーマットとPUSCHフォーマットとが混在することがなくなり、端末２００は、１つのフォーマットでsubframe内の信号を送信できるという利点がある。
【０１５３】
また、DL sTTI長とUL sTTI長との組み合わせは、本実施の形態の動作例で示した以外の組合せにも、本開示の動作を適用可能である。
【０１５４】
（実施の形態２）
本実施の形態に係る基地局及び端末は、実施の形態１に係る基地局１００及び端末２００と基本構成が共通するので、図４及び図５を援用して説明する。
【０１５５】
本実施の形態では、DL sTTI長とUL sTTI長とが異なり、DL sTTI長がUL sTTI長よりも短い場合、基地局１００及び端末２００は、DL sTTI長及び絶対時間を基準として、データ割り当て（sPDCCH内のUL grant、DL assignment）、データ送受信（sPUSCH、sPDSCH）、フィードバック（ACK/NACK信号）の送受信タイミングを決定する。
【０１５６】
絶対時間は、処理遅延又は上位レイヤとの通信に必要となる時間を考慮した固定長の時間である。
【０１５７】
また、実施の形態１と同様、基地局１００及び端末２００は、DL sTTI長を基準として決定したULのタイミングがUL sTTIの境界と一致しない場合、UL sTTIの境界と一致するタイミングまで遅延させる。
【０１５８】
具体的には、DLデータに関して、基地局１００及び端末２００は、sPDSCHの送受信タイミングから、DL sTTI長及び絶対時間を基準として設定される所定間隔後のUL sTTIで当該sPDSCHに対するACK/NACK信号を送受信する。
【０１５９】
また、ULデータに関して、基地局１００及び端末２００は、UL grantを含むsPDCCHの送受信タイミングから、DL sTTI長及び絶対時間を基準として設定される所定間隔後のUL sTTIで当該UL grantで割り当てられたsPUSCHを送受信する。また、基地局１００及び端末２００は、sPUSCHの送受信タイミングから、DL sTTI長及び絶対時間を基準として設定される所定間隔後のDL sTTIで当該sPUSCHに対するACK/NACK信号を送受信する。
【０１６０】
例えば、基地局１００及び端末２００は、１つ目の信号の送受信タイミングから、所定数（X）のDL sTTIの間隔に絶対時間（Y）を加えた時間経過後のタイミングで２つ目の信号を送受信してもよい。具体的には、基地局１００及び端末２００は、データ割り当て、データ送受信、フィードバックのタイミング（１つ目の信号に対する２つ目の信号の送信タイミング）を以下のように規定する。ここでは、絶対時間をY msecと表す。
DLデータに関するタイミング
DL assignment in sPDCCH - sPDSCH : same sTTI
sPDSCH - ACK/NACK feedback       : 少なくとも X DL sTTIs + Y msec 後
ULデータに関するタイミング
UL grant in sPDCCH - sPUSCH      : 少なくとも X DL sTTIs + Y msec 後
sPUSCH - ACK/NACK feedback       : 少なくとも X DL sTTIs + Y msec 後
【０１６１】
なお、「少なくとも X DL sTTIs + Y msec」とは、１つ目の信号（上記DL assignment、sPDSCH、UL grant又はsPUSCH）の送受信が完了してから、2つ目の信号（上記sPDSCH、ACK/NACK feedback、sPUSCH又はACK/NACK feedback）の送受信を開始するまで、少なくとも（X-1）sTTI + Y msecの間隔があり、その間隔の後の最初のsTTIに2つ目の信号を割り当てることを示す。
【０１６２】
以下、基地局１００及び端末２００におけるデータ割り当て、データ送受信、フィードバックの動作について詳細に説明する。
【０１６３】
以下では、実施の形態１の動作例１−１及び動作例２−１と同様、UL sTTI長を7symbolsとし、DL sTTI長を3/4 symbolsとし、X=4とする。また、絶対時間Y=0.5 msecとする。
【０１６４】
図１５は、ULデータ信号（sPUSCH）の送信を指示するUL grantが配置されるsPDCCHとsPUSCHとの送受信タイミング、及び、sPUSCHと当該sPUSCHに対するACK/NACK信号との送受信タイミングの一例を示す。
【０１６５】
UL grantとsPUSCHとについて、X=4の場合、基地局１００及び端末２００は、DL sTTI長及び絶対時間Yを基準として、UL grant（sPDCCH）の送受信から、少なくとも4 DL sTTIs＋0.5msec後にsPUSCHの送受信を開始する。すなわち、UL grantの送受信が完了してから、sPUSCHの送受信を開始するまで、少なくとも3 DL sTTI（＝X-1）＋0.5msecの間隔がある。つまり、基地局１００及び端末２００は、3 DL sTTI＋0.5msecの間隔後の最初のUL sTTIでsPUSCHを送受信する。
【０１６６】
同様に、sPUSCHとACK/NACK信号とについて、X=4の場合、基地局１００及び端末２００は、DL sTTI長及び絶対時間Yを基準として、sPUSCHの送受信から、少なくとも4 DL sTTIs＋0.5msec後に当該sPUSCHに対するACK/NACK信号の送受信を開始する。すなわち、sPUSCHの送受信が完了してから、ACK/NACK信号の送受信を開始するまで、少なくとも3 DL sTTI＋0.5msecの間隔がある。つまり、基地局１００及び端末２００は、sPUSCHの送受信タイミングから、3 DL sTTI＋0.5msecの間隔後の最初のDL sTTIでACK/NACK信号を送受信する。
【０１６７】
また、図１６は、DLデータ信号（sPDSCH）の送信を指示するDL assignmentが配置されるsPDCCHとsPDSCHとの送受信タイミング、及び、sPDSCHと当該sPDSCHに対するACK/NACK信号との送受信タイミングの一例を示す。
【０１６８】
DL assignmentとsPDSCHとについて、基地局１００は、DL assignmentの送受信を行うDL sTTIと同一DL sTTIで当該DL assignmentによって指示されるsPDSCHを送信する。
【０１６９】
また、sPDSCHとACK/NACK信号とについて、X=4の場合、基地局１００及び端末２００は、DL sTTI長及び絶対時間Yを基準として、sPDSCHの送受信から、少なくとも4 DL sTTIs＋0.5msec後に当該sPDSCHに対するACK/NACK信号の送受信を開始する。すなわち、sPDSCHの送受信が完了してから、ACK/NACK信号の送受信を開始するまで、少なくとも3 DL sTTI（＝X-1）＋0.5msecの間隔がある。つまり、基地局１００及び端末２００は、sPDSCHの送受信タイミングから、3 DL sTTI＋0.5msecの間隔後の最初のUL sTTIでACK/NACK信号を送受信する。
【０１７０】
こうすることで、基地局１００及び端末２００は、各装置での処理遅延又は上位レイヤとの通信に必要となる時間を確保することができる。
【０１７１】
［バリエーション］
基地局１００及び端末２００は、データ割り当て、データ送受信、フィードバックのタイミング（１つ目の信号に対する２つ目の信号の送信タイミング）を以下のように規定してもよい。
【０１７２】
DLデータに関するタイミング：
DL assignment in sPDCCH - sPDSCH : same sTTI
sPDSCH - ACK/NACK feedback       : 少なくとも Max(X-1 DL sTTIs, Y msec)間隔
ULデータに関するタイミング
UL grant in sPDCCH - sPUSCH      : 少なくとも Max(X-1 DL sTTIs, Y msec)間隔
sPUSCH - ACK/NACK feedback       : 少なくとも Max(X-1 DL sTTIs, Y msec)間隔
【０１７３】
なお、Max(X-1 DL sTTIs, Y msec)は、X-1 DL sTTIsと、Ymsecのうち、大きい方を選択する。
【０１７４】
すなわち、基地局１００及び端末２００は、１つ目の信号の送受信タイミングから、所定数のDL sTTIの間隔（X-1）及び絶対時間Yのうち大きい時間の経過後の最初のUL sTTIで２つ目の信号を送受信する。
【０１７５】
このようにすると、sTTI長が絶対時間Yよりも長い場合には、sTTI長のみで各装置での処理遅延又は上位レイヤとの通信に必要となる時間を確保でき、絶対時間Yを設定しないでsTTI長のみで間隔を設定できるので、余分に遅延を設定することを回避できる。また、sTTI長が絶対時間Yよりも短い場合には、各装置での処理遅延又は上位レイヤとの通信に必要となる時間を十分に確保できる。
【０１７６】
（実施の形態３）
本実施の形態に係る基地局及び端末は、実施の形態１に係る基地局１００及び端末２００と基本構成が共通するので、図４及び図５を援用して説明する。
【０１７７】
実施の形態１及び２では、基地局１００及び端末２００が全てのsTTIを使用できることを前提とした。しかし、従来端末（sTTIをサポートしていない端末）に使用される領域、共通サーチスペースに使用されるPDCCH領域、又は、CRS（Cell-specific Reference Signal）、DMRS（Demodulation Reference Signal）、CSI-RS（Channel State Information Reference Signal）、SRS（Sounding Reference Signal）などの参照信号の配置によって、sTTIの領域のうち、データ及び制御信号の送受信に使用できるリソースが少なくなる。このため、当該sTTIがデータ及び制御信号の送受信に使用されないこと、又は、隣接するsTTIを合わせて１つのsTTIとして使用されることが考えられる。また、DLとULとでは、制御信号及び参照信号の量が異なるのでsTTI数が異なることが考えられる。
【０１７８】
そこで、本実施の形態では、使用可能なsTTIがsubframe毎に異なる場合の、データ割り当て、データ送受信信、フィードバックのタイミングを設定する方法について説明する。
【０１７９】
基地局１００及び端末２００は、サブフレーム内のsTTIがすべて使用可であり、隣接するsTTIを合わせて1つのsTTIとすることがない、sTTI数が最も多いサブフレームをDLの基準サブフレームとする。DLの基準サブフレームでのDL sTTI長を基準として、データ割り当て（sPDCCH内のUL grant、DL assignment）、データ送受信（sPUSCH、sPDSCH）、フィードバック（ACK/NACK信号）の送受信タイミングを決定する。
【０１８０】
また、実施の形態１と同様、基地局１００及び端末２００は、DL sTTI長を基準として決定したULのタイミングがUL sTTIの境界と一致しない場合、UL sTTIの境界と一致するタイミングまで遅延させる。
【０１８１】
具体的には、基地局１００及び端末２００は、実施の形態１と同様、データ割り当て、データ送受信、フィードバックのタイミング（１つ目の信号に対する２つ目の信号の送信タイミング）を以下のように規定する。
DLデータに関するタイミング
DL assignment in sPDCCH - sPDSCH : same sTTI
sPDSCH - ACK/NACK feedback       : 少なくとも X DL sTTIs 後
ULデータに関するタイミング
UL grant in sPDCCH - sPUSCH      : 少なくとも X DL sTTIs 後
sPUSCH - ACK/NACK feedback       : 少なくとも X DL sTTIs 後
【０１８２】
なお、「少なくとも X DL sTTIs」とは、１つ目の信号（上記DL assignment、sPDSCH、UL grant又はsPUSCH）の送受信が完了してから、2つ目の信号（上記sPDSCH、ACK/NACK feedback、sPUSCH又はACK/NACK feedback）の送受信を開始するまで、少なくとも（X-1）sTTIの間隔があり、その間隔の後の最初のsTTIに2つ目の信号を割り当てることを示す。
【０１８３】
また、本実施の形態では、基地局１００は、信号の割り当てに使用できるDL sTTIの数がDLの基準となるsubframeよりも少ないsubframeにおいて、上り信号（sPUSCH）を受信するタイミングから所定間隔前のDL sTTI（上記規定されるタイミング）が信号の割り当てに使用できない場合、当該信号の割り当てに使用できないDL sTTIより前の最も後方のDL sTTIで下り信号（sPDCCH）を送信する。同様に、基地局１００は、信号の割り当てに使用できるDL sTTIの数が基準となるsubframeよりも少ないsubframeにおいて、上り信号（sPUSCH）を受信したUL sTTIのタイミングから所定間隔後のDL sTTI（上記規定されるタイミング）が信号の割り当てに使用できない場合、当該信号の割り当てに使用できないDL sTTIより後の最初のDL sTTIで上り信号に対するACK/NACK信号を送信する。
【０１８４】
以下、基地局１００及び端末２００におけるデータ割り当て、データ送受信、フィードバックの動作について詳細に説明する。
【０１８５】
［動作例３−１］
図１７は、ULデータ信号（sPUSCH）の送信を指示するUL grantが配置されるsPDCCHとsPUSCHとの送受信タイミング、及び、sPUSCHと当該sPUSCHに対するACK/NACK信号との送受信タイミングの一例を示す。
【０１８６】
図１７に示すように、実施の形態１の動作例１−２（図７を参照）と同様、UL sTTI長を3/4 symbolsとし、DL sTTI長を2 symbolsとし、X=4とする。また、基地局１００及び端末２００は、全てのsubframeの６番目のDL sTTI（DL sTTI#5, #12, #19, #26）を使用できない。
【０１８７】
UL grantとsPUSCHとについて、X=4の場合、動作例１−２に示すsubframe（DLの基準となるsubframe）では、UL sTTI#5で送信されるsPUSCHは、UL sTTI#5と同一タイミングのDL sTTI#9から3DL sTTI間隔前のDL sTTI#5で送信されるUL grantで割り当てられていた。しかし、図１７では、DLs TTI#5が使用できない。そこで、基地局１００は、DL sTTI#5の１つ前のDL sTTI#4でUL grantを送信する。同様に、基地局１００は、図１７に示すDL sTTI#12, ＃19で送信予定であった、UL sTTI #9及びUL sTTI#13のsPUSCHに対する割り当てを指示するUL grantを、DL sTTI#11, ＃18で送信する。
【０１８８】
また、sPUSCHとACK/NACK信号とについて、X=4の場合、動作例１−２に示すsubframe（DLの基準となるsubframe）では、UL sTTI#4のsPUSCHに対するACK/NACK信号は、UL sTTI#4と同一タイミングのDL sTTI#8から3DL sTTI間隔後のDL sTTI#12で送信されていた。しかし、図１７では、DL sTTI #12が使用できない。そこで、基地局１００は、ACK/NACK信号の送信タイミングを遅延させてDL sTTI#13で送信する。同様に、X=4の場合、動作例１−２では、UL sTTI#8, #12のsPUSCHに対するACK/NACK信号は、UL sTTI#8, #12と同一タイミングのDL sTTI#15, #22から3DL sTTI 間隔後のDL sTTI #19,#26で送信されていた。しかし、図１７では、DL sTTI #19,#26が使用できない。そこで、基地局１００は、ACK/NACK信号の送信タイミングを遅延させてDL sTTI#20、#27で送信する。
【０１８９】
また、図１７では、DL sTTI数がUL sTTI数よりも多いので、一部のDL sTTIが使用できなくても、UL HARQ process数には影響はない。ただし、使用できないDL sTTIが多い場合、又は、連続するDL sTTIが使用できない場合には、遅延量が増えるので、UL HARQ process数を増やす必要がある。
【０１９０】
［動作例３−２］
動作例３−２では、UL sTTI長とDL sTTI長とが同一の場合の動作について説明する。
【０１９１】
図１８は、ULデータ信号（sPUSCH）の送信を指示するUL grantが配置されるsPDCCHとsPUSCHとの送受信タイミング、及び、sPUSCHと当該sPUSCHに対するACK/NACK信号との送受信タイミングの一例を示す。
【０１９２】
図１８に示すように、UL sTTI長及びDL sTTI長の双方を3/4 symbolsとし、X=4とする。すなわち、1subframeは4sTTIに分割されている。また、基地局１００及び端末２００は、偶数番目のsubframeの３番目のDL sTTI（DL sTTI#2, #10, #18）を使用できない。つまり、奇数番目のsubframe（DLの基準となるsubframe）と比較して、偶数番目のsubframeでsTTIを用いた信号の割り当てに使用できるDL sTTIの数は少ない。
【０１９３】
全てのDL sTTIを使用できる場合、X=4では、最少のUL HARQ process ID数は8である。しかし、動作例３−２では、一部のDL sTTIが使用できないため、UL割り当ておよびACK/NACKフィードバックの遅延が長くなるので、最少のHARQ process ID数は9となる。
【０１９４】
UL grantとsPUSCHとについて、X=4の場合、全てのDL sTTIを使用できる場合には、UL sTTI#6で送信されるsPUSCHは、UL sTTI#6と同一タイミングのDL sTTI#6から3DL sTTI間隔前のDL sTTI#2で送信されるUL grantで割り当てられる。しかし、図１８では、subframe#0のDLs TTI#2が使用できない。そこで、基地局１００は、DL sTTI#2の１つ前のDL sTTI#1でUL grantを送信する。同様に、基地局１００は、図１８に示すDL sTTI#10, ＃18で送信予定であった、UL sTTI #14及びUL sTTI#22のsPUSCHに対する割り当てを指示するUL grantを、DL sTTI#9, ＃17で送信する。
【０１９５】
また、sPUSCHとACK/NACK信号とについて、X=4の場合、全てのDL sTTIを使用できる場合には、UL sTTI#6のsPUSCHに対するACK/NACK信号は、UL sTTI#6と同一タイミングのDL sTTI#6から3DL sTTI 間隔後のDL sTTI #10で送信されていた。しかし、図１８では、DL sTTI #10が使用できない。そこで、基地局１００は、ACK/NACK信号の送信タイミングを遅延させてDL sTTI#11で送信する。同様に、X=4の場合、全てのDL sTTIを使用できる場合には、UL sTTI#14のsPUSCHに対するACK/NACK信号は、UL sTTI#14と同一タイミングのDL sTTI#14から3DL sTTI 間隔後のDL sTTI #18で送信されていた。しかし、図１８では、DL sTTI #18が使用できない。そこで、基地局１００は、ACK/NACK信号の送信タイミングを遅延させてDL sTTI#19で送信する。
【０１９６】
以上、動作例３−１及び動作例３−２について説明した。
【０１９７】
このようにして、本実施の形態では、基地局１００及び端末２００は、DLのsubframe内に信号を割り当てられないDL sTTIが存在する場合でも、実施の形態１と同様にして、DL sTTIを基準としてデータ割り当て、データ送受信信、フィードバックのタイミングを決定する。また、基地局１００及び端末２００は、決定したDLのタイミングが上記信号を割り当てられないDL sTTIである場合には、当該タイミングの前又は後ろのタイミングでDL信号（データ信号又はACK/NACK信号）を送信する。
【０１９８】
これにより、基地局１００及び端末２００は、DL sTTI数がsubframe間で異なる場合でも、実施の形態１と同様にして、DL sTTI及びUL sTTIのそれぞれの境界から信号の送受信を開始することができる。よって、本実施の形態によれば、TTI長を短縮する場合のデータ割り当て、データ送受信信、フィードバックのタイミングを適切に設定することができる。
【０１９９】
なお、DL subframe内の先頭のDL sTTIを使用できない場合、PDCCHで代用することができる。基地局１００は、PDCCHでsTTIに割り当てる制御信号およびACK/NACK信号を送信することで、遅延が生じないので、HARQ process ID 数に影響がないという利点がある。
【０２００】
（実施の形態４）
本実施の形態に係る基地局及び端末は、実施の形態１に係る基地局１００及び端末２００と基本構成が共通するので、図４及び図５を援用して説明する。
【０２０１】
sTTI長で運用している場合に、回線品質が悪い又はLatency reductionが不要になるなどの理由により、通常のTTI長に戻すことが考えらえる。そこで、本実施の形態では、sTTI長から通常のTTI長(1 subframe)に切り替わる際の動作について説明する。
【０２０２】
通常のTTIに戻す方法として、CSS(Common search space)で通常のTTI長で割り当てを行う方法、又は、MACレイヤで通常のTTI長への変更を指示する方法などが考えらえる。このとき、sTTIで使用していたHARQ process IDについて、通常のTTIでも継続させる方法と継続しない方法とがある。
【０２０３】
HARQ process IDを継続しない場合、基地局１００及び端末２００は、HARQバッファの信号を消去し、全て新規データとして通信を新たに開始する。
【０２０４】
一方、HARQ process IDを継続させる場合、DLでは、基地局１００は、端末２００に対して、継続するHARQ process IDを、通常のTTI長のDL assignmentで指示する。
【０２０５】
また、ULの場合、HARQ process IDは端末２００へ通知されないので、基地局１００及び端末２００は、sTTIと通常のTTIとの間でUL HARQ process IDを予め共有する仕組みが必要である。UL HARQ process IDを共有する仕組みとして、端末２００は、TTI長の切り替えを受信したサブフレームを基準として、sTTIとTTIとを対応付ける。
【０２０６】
図１９は、subframe #1でsTTIとTTIとを切り替える動作例を示す。
【０２０７】
図１９では、subframe #0はsTTIが適用され、端末２００は、HARQ process ID #0,#1,#2,#3のUL grantを検出している。また、端末２００は、subframe #1のPDCCHで通常のTTIのUL grantを検出したとする。
【０２０８】
この場合、端末２００は、sTTIでの動作となるHARQ process ID #0,#1,#2,#3に関しては、subframe #1のULでもsTTIの動作でsPUSCHの送信処理を行う。この際、基地局１００がsTTIで送信されたsPUSCHに対するACK/NACK信号をsubframe#2で送信するようにしてもよい。また、subframe#1でNACKが送信された場合、端末２００は、subframe #3でsPUSCHを再送することができる（図示せず）。こうすることで、PUSCHの送信が通常のTTIに切り替わるまでの間のリソースを有効に活用することができる。
【０２０９】
なお、基地局１００は、subframe#2でのACK/NACK信号の送信を取りやめ、端末２００に対して全てをACKと認識させて、通常のTTIを使用したAdaptive 再送のみを許可するようにしてもよい。
【０２１０】
Subframe #1の先頭DL sTTIでは、sTTIでの運用が継続されていれば、UL HARQ process ID #4が送信可能である。そこで、端末２００は、subframe #1を基準として、subframe #1のPDCCHでUL HARQ process ID #4のUL grantが送信されたと認識し、LTE/LTE-Advanced の規定に従い、4subframe後(3 DL subframe間隔後)のsubframe #5でHARQ process ID #4のPUSCHを送信する。また、端末２００は、次のsubframe#2のPDCCHでは、HARQ process ID #5のUL grantが送信されたと認識する。
【０２１１】
このように、基地局１００及び端末２００は、HARQ process ID#0〜#3ではsTTIを使用し、UL HARQ process ID#4以降、sTTIからTTIへ切り替える。つまり、基地局１００及び端末２００は、sTTI（DL sTTI及びUL sTTI）の使用時と、TTIの使用時とで、共通のHARQ process IDを用いる。
【０２１２】
こうすることで、sTTIから通常のTTIに切り替わっても、基地局１００及び端末２００は、ULデータ信号の再送処理を継続することができる。また、基地局１００及び端末２００は、sTTI及びTTIのためのHARQのバッファを２重に持たなくてよいため、バッファ量を低減できる。
【０２１３】
以上、本開示の各実施の形態について説明した。
【０２１４】
なお、上記実施の形態ではFDDに基づくHARQのタイミングについて説明したが、TDDに基づくHARQのタイミングについても適用できる。TDDに基づくHARQのタイミングに本開示を適用する場合、subframe間のbundlingをさらに適用すればよい。
【０２１５】
また、上記実施の形態では、DL sTTI長を基準として信号の送受信タイミングを決定する場合について説明したが、ULsTTI長を基準として信号の送受信タイミングを決定してもよい。
【０２１６】
また、上記実施の形態では、X=4として説明したが、Xの値は他の値でもよい。
【０２１７】
また、上記実施の形態において、ULでの送信タイミングは、Timing Advanced (TA)によっても調整される。したがって、実際のULの送信タイミングは、上記実施の形態で規定したタイミングに加えて、予め定められたTA分早く送信開始されるように決定されてもよい。
【０２１８】
また、実施の形態１では、UL grantが特定のDL sTTIのみから送信されると限定したが、他の実施の形態ではそれに限定されない。UL grantの送信は、PUSCH を送信できるUL sTTIの少なくともX DL sTTI以上前で行われればよく、複数のDL sTTIから1つのUL sTTIに対するUL grantが送信されてもよい。この場合、端末２００でUL grantをモニタするDL sTTIが増えるが、制御信号の分散が容易にできるという利点がある。
【０２１９】
また、TTI長の短縮は、LTEを拡張するシステムのみならず、New RAT（Radio Access Technology）ととよばれる新しいフレームフォーマットで実現されるシステムにも適用できる。
【０２２０】
また、上記実施の形態では、本開示の一態様をハードウェアで構成する場合を例にとって説明したが、本開示はハードウェアとの連携においてソフトウェアで実現することも可能である。
【０２２１】
また、上記実施の形態の説明に用いた各機能ブロックは、典型的には、入力端子および出力端子を有する集積回路であるＬＳＩとして実現される。集積回路は、上記実施の形態の説明に用いた各機能ブロックを制御し、入力端子と出力端子を備えてもよい。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０２２２】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。
【０２２３】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０２２４】
本開示の基地局は、TTI（Transmission Time Interval）よりもTTI長を短縮した下り回線の第１sTTI（short TTI）を用いて下り信号を送信する送信部と、TTIよりもTTI長を短縮した上り回線の第２sTTIを用いて上り信号を受信する受信部と、を具備し、第１sTTIの長さが第２sTTIよりも短い場合、受信部は、下り信号の送信タイミングから、第１sTTIの長さを基準として設定される所定間隔後の第２sTTIで上り信号を受信する。
【０２２５】
本開示の基地局において、受信部は、下り信号の送信タイミングから、所定数の第１sTTIの間隔後の最初の第２sTTIで上り信号を受信する。
【０２２６】
本開示の基地局において、受信部は、下り信号の送信タイミングから、所定数の第１sTTIの間隔後のタイミングと同一タイミングが第２sTTIの境界と一致しない場合、上り信号の受信タイミングを遅延させる。
【０２２７】
本開示の基地局において、下り信号は、下りデータ信号の割り当てを示す下り割当制御情報を含み、受信部は、下りデータ信号を送信した第１sTTIのタイミングから、所定間隔後の第２sTTIで下りデータ信号に対するACK/NACK信号を受信する。
【０２２８】
本開示の基地局において、下り信号は、上り信号の割り当てを示す上り割当制御情報を含み、送信部は、上り信号を受信した第２sTTIのタイミングから所定間隔後の第１sTTIで上り信号に対するACK/NACK信号を送信する。
【０２２９】
本開示の基地局において、上り割当制御情報が送信される第１sTTIと、ACK/NACK信号が送信される第１sTTIとは異なる。
【０２３０】
本開示の基地局において、送信部は、ACK/NACK信号を、当該ACK/NACK信号のHARQ process IDと同一のHARQ process IDの上り割当制御情報が送信される第１sTTIの１つ前の第１sTTIで送信する。
【０２３１】
本開示の基地局において、受信部は、同一サブフレームで送信した複数の下り信号の各々に対するACK/NACK信号を、１つのサブフレーム内の複数の第２sTTIで受信する。
【０２３２】
本開示の基地局において、受信部は、下り信号の送信タイミングから、所定数の第１sTTIの間隔に絶対時間を加えた時間経過後の最初の第２sTTIで上り信号を受信する。
【０２３３】
本開示の基地局において、受信部は、下り信号の送信タイミングから、所定数の第１sTTIの間隔及び絶対時間のうち大きい時間の経過後の最初の第２sTTIで上り信号を受信する。
【０２３４】
本開示の基地局において、送信部は、基準サブフレームを構成する第１sTTIの長さを基準として所定間隔を設定し、送信部は、信号の割り当てに使用できる第１sTTIの数が基準サブフレームよりも少ないサブフレームにおいて、上り信号を受信するタイミングから所定間隔前の第１sTTIが信号の割り当てに使用できない場合、信号の割り当てに使用できない第１sTTIより前の最も後方の第１sTTIで下り信号を送信する。
【０２３５】
本開示の基地局において、下り信号は、上り信号の割り当てを示す上り割当制御情報を含み、送信部は、基準サブフレームを構成する第１sTTIの長さを基準として所定間隔を設定し、送信部は、信号の割り当てに使用できる第１sTTIの数が基準サブフレームよりも少ないサブフレームにおいて、上り信号を受信した第２sTTIのタイミングから所定間隔後の第１sTTIが信号の割り当てに使用できない場合、信号の割り当てに使用できない第１sTTIより後の最初の第１sTTIで上り信号に対するACK/NACK信号を送信する。
【０２３６】
本開示の基地局において、送信部及び受信部は、第１sTTI及び第２sTTIの使用から、TTIの使用へ切り替える場合、共通のHARQ process IDを用いる。
【０２３７】
本開示の端末は、TTI（Transmission Time Interval）よりもTTI長を短縮した下り回線の第１sTTI（short TTI）を用いて下り信号を受信する受信部と、TTIよりもTTI長を短縮した上り回線の第２sTTIを用いて上り信号を送信する送信部と、を具備し、第１sTTIの長さが第２sTTIよりも短い場合、送信部は、下り信号の受信タイミングから、第１sTTIの長さを基準として設定される所定間隔後の第２sTTIで上り信号を送信する。
【０２３８】
本開示の通信方法は、TTI（Transmission Time Interval）よりもTTI長を短縮した下り回線の第１sTTI（short TTI）を用いて下り信号を送信し、TTIよりもTTI長を短縮した上り回線の第２sTTIを用いて上り信号を受信し、第１sTTIの長さが第２sTTIよりも短い場合、上り信号は、下り信号の送信タイミングから、第１sTTIの長さを基準として設定される所定間隔後の第２sTTIで受信される。
【０２３９】
本開示の通信方法は、TTI（Transmission Time Interval）よりもTTI長を短縮した下り回線の第１sTTI（short TTI）を用いて下り信号を受信し、TTIよりもTTI長を短縮した上り回線の第２sTTIを用いて上り信号を送信し、第１sTTIの長さが第２sTTIよりも短い場合、上り信号は、下り信号の受信タイミングから、第１sTTIの長さを基準として設定される所定間隔後の第２sTTIで送信される。
【産業上の利用可能性】
【０２４０】
本開示の一態様は、移動通信システムに有用である。
【符号の説明】
【０２４１】
１００  基地局
１０１  sTTI決定部
１０２  sPDCCH生成部
１０３，２０９  誤り訂正符号化部
１０４，２１０  変調部
１０５，２１１  信号割当部
１０６，２１２  送信部
１０７，２０１  受信部
１０８，２０２  信号分離部
１０９  ACK/NACK受信部
１１０，２０３  復調部
１１１，２０４  誤り訂正復号部
１１２  ACK/NACK判定部
２００  端末
２０５  sTTI設定部
２０６  誤り判定部
２０７  ACK/NACK生成部
２０８  sPDCCH受信部
【図１】
2019511852.tif 000003
【図２】
2019511852.tif 000004
【図３】
2019511852.tif 000005
【図４】
2019511852.tif 000006
【図５】
2019511852.tif 000007
【図６】
2019511852.tif 000008
【図７】
2019511852.tif 000009
【図８】
2019511852.tif 000010
【図９】
2019511852.tif 000011
【図１０】
2019511852.tif 000012
【図１１】
2019511852.tif 000013
【図１２】
2019511852.tif 000014
【図１３Ａ】
2019511852.tif 000015
【図１３Ｂ】
2019511852.tif 000016
【図１４】
2019511852.tif 000017
【図１５】
2019511852.tif 000018
【図１６】
2019511852.tif 000019
【図１７】
2019511852.tif 000020
【図１８】
2019511852.tif 000021
【図１９】
2019511852.tif 000022
【国際調査報告】
2019511852.tif 000023
2019511852.tif 000024